(57)【特許請求の範囲】
【請求項１】
車室に乗り入れた車椅子を車内に固縛するとともに、車椅子に着座した乗員をシートベルトで拘束する車椅子固縛装置において、
車室の車椅子用スペースのフロア上の左右両側にそれぞれ、基端をフロアに結合し長さ調整可能としたベルトからなる固縛部材を設け、車椅子の後部の左右両側にはそれぞれ、中間部を車椅子のフレームに連結し揺動可能とした帯状の金属板からなるベルト部材を設け、上記固縛部材の上端と上記ベルト部材の下端とを連結手段により着脱可能に連結して車椅子を車室に固縛するとともに、車椅子の乗員の腰部を拘束するシートベルトのラップ部の左右両端をそれぞれ上記左右両側のベルト部材の上端に連結手段を介して着脱可能に連結して車椅子の乗員を車椅子に拘束せしめることを特徴とする車両の車椅子固縛装置。
【請求項２】
上記連結手段は、連結される部材の一方の部材の端部に設けたバックルと、他方の部材の端部に設けたタングプレートからなる請求項１に記載の車両の車椅子固縛装置。
【請求項３】
上記固縛部材は、基端に自動巻取り装置を備え、長さ調整可能とした請求項１または請求項２に記載の車両の車椅子固縛装置。
【発明の詳細な説明】
【０００１】
【発明の属する技術分野】
本発明は、車室に乗り入れた車椅子を固縛するとともに、車椅子に着座した乗員をシートベルトで拘束する車両の車椅子固縛装置に関する。
【０００２】
【従来の技術】
従来、車室に乗り入れた車椅子を固縛する固縛装置として、例えば図７に示すように、車室の車椅子用スペースのフロアに、車椅子１の前側の左右両側位置と後側の左右両側位置にそれぞれアンカー部材８Ａ，８Ｂを設け、車椅子１の左右のフレーム底部１１の前端部と前側のアンカー部材８Ａとをフロント固縛部材９Ａで連結するとともに、左右のフレーム底部１１の後端部と後側のアンカー部材８Ｂとをリヤ固縛部材９Ｂで連結して車椅子１を固縛するようにしている。
【０００３】
フロント固縛部材９Ａは、ウェビングからなる長さ調整可能なベルトで、その一端のフック９１を車椅子１の両側のフレーム底部１１の前端部に引っ掛けるとともに、他端のアンカーフック９２を前側のアンカー部材８Ａに引っ掛け、ベルトの長さを調整してこれを張った状態で車椅子１の前側の左右両側を固縛する。一方、リヤ固縛部材９Ｂは、ウェビングからなる長さ調整可能な連結ベルト９３の左右両端に左右一対のフックベルト９４を連結したもので、連結ベルト９３を車椅子１の左右のフレーム底部１１の後端部間に架設し、フックベルト９４のアンカーフック９５を後側のアンカー部材８Ｂに引っ掛け、連結ベルト９３の長さを調整して連結ベルト９３およびフックベルト９４を張った状態で車椅子１の後側の左右両側を固縛する。
【０００４】
また、車椅子用スペースには車椅子１に着座した乗員を拘束するシートベルト５Ｂを設けている。シートベルト５Ｂは２分割され、中間部が連結手段たるバックル５８とタングプレート５９とで切離し連結可能なもので、左右両端のアンカー部５７をそれぞれ車椅子用スペースの後部フロアの車椅子１より外側後方の左右両側位置にアンカーボルトにより固定した２点式シートベルトである。シートベルト５Ｂは中間部を切り離した状態で、バックル５８側およびタングプレート５９側をそれぞれ、車椅子１の外側から左右の主輪１８Ａのスポーク間を通して肘かけ１５の下側から着座面上に引き込んで、バックル５８とタングプレート５９とを連結して車椅子１に着座した乗員を拘束する。
【０００５】
【発明が解決しようとする課題】
しかしながら、上記のような従来構造では、車室の車椅子用スペースのフロアに前後両固縛部材９Ａ，９Ｂ用のアンカー部材８Ａ，８Ｂ、および、シートベルト５Ｂの両端のアンカー部５７が固定してあり、フロア上の固定部品が多く、車椅子１の移動の邪魔になる。また、シートベルト５Ｂを締める際に、車椅子１の外側から主輪１８Ａのスポーク間を通して肘掛け１５の下側から着座面上に引き込んで遠回しに装着しなければならず手間がかかり、乗員の拘束性も不確実になりやすい。例えば、車椅子１の固縛が不完全でありシートベルト５Ｂを装着した後に固縛の調整を行うと、乗員の拘束が緩んだり締まり過ぎたりして、固縛の調整とともにシートベルト５Ｂの調整もやり直さなければならず２度手間となる。また、緊急時にシートベルト５Ｂに荷重が作用すると、車椅子１の主輪１８Ａやそのスポーク等に大きな負荷がかかるおそれがある。そこで本発明は、車室フロア上に固定する部品点数を減少でき、車椅子を確実に固縛するとともに、シートベルトの装着性が良好で、確実に乗員を拘束することができる車両の車椅子固縛装置を提供することを課題としてなされたものである。
【０００６】
【課題を解決するための手段】
本発明は、車室に乗り入れた車椅子を車内に固縛するとともに、車椅子に着座した乗員をシートベルトで拘束する車椅子固縛装置において、  車室の車椅子用スペースのフロア上の左右両側にそれぞれ、基端をフロアに結合し長さ調整可能としたベルトからなる固縛部材を設け、車椅子の後部の左右両側にはそれぞれ、中間部を車椅子のフレームに連結し揺動可能とした帯状の金属板からなるベルト部材を設け、上記固縛部材の上端と上記ベルト部材の下端とを連結手段により着脱可能に連結して車椅子を車室に固縛するとともに、車椅子の乗員の腰部を拘束するシートベルトのラップ部の左右両端をそれぞれ上記左右両側のベルト部材の上端に連結手段を介して着脱可能に連結して車椅子の乗員を車椅子に拘束せしめる（請求項１）。車椅子のフレームに連結したベルト部材を介して、固縛部材とシートベルトとを一連に連結したので、車室フロアの簡素化がはかれる。また、シートベルトは車椅子の座面上で着脱でき操作性が良好で、車椅子の固縛を調整しても乗員の拘束に影響せず、確実に乗員を拘束できる。
【０００７】
上記連結手段は、連結される部材の一方の部材の端部に設けたバックルと、他方の部材の端部に設けたタングプレートで構成する（請求項２）。各部材間の着脱可能な連結に好適である。
【０００８】
上記固縛部材は、基端に自動巻取り装置を設けて長さ調整可能とする（請求項３）。車室に車椅子を固縛する際の作業性を向上できる。
【０００９】
【発明の実施の形態】
図１および図２に示すように、車椅子１は一般的なもので、金属パイプで構成したフレーム１０に、着座部１３、背もたれ１４、肘かけ１５、ステップ１７を備え、フレーム１０の左右両側に設けた一対の主輪１８Ａと、補助輪１８Ｂとで支えられ走行自在としてある。図の１９は介助者が車椅子１を押す場合に用いるグリップである。
【００１０】
図１ないし図３に示すように、フレーム１０は下端に前後方向に延びる左右一対のフレーム底部１１を備え、左右のフレーム底部１１の後端部にはそれぞれ、ブラケット１２を介して上下方向に延びる左右一対のベルト部材２が支持せしめてある。ブラケット１２は平坦な縦板で、フレーム底部１１と縦後枠フレームとの結合部後方に配し、底縁をフレーム底部１１に結合するとともに前縁を上記縦後枠フレームに結合してある。ブラケット１２の中央にはウェルドナットを備えたネジ穴１２１を備えている。
【００１１】
左右のベルト部材２は帯状の金属板で、両端にそれぞれ連結手段たるバックル３０Ａ，３０Ｂが結合してある。ベルト部材２の中間部には下側バックル３０Ａ寄りの位置にボルト貫通穴２１が形成してある。ベルト部材２は前倒れ傾斜の起立姿勢とし、ブラケット１２の内面側に、中間のボルト貫通穴２１を介してボルト部材をブラケット１２のネジ穴１２１に締め付けて前後に若干揺動可能に取付けてある。上端にバックル３０Ｂを設けたベルト部材２の上半部は、車椅子１の着座部１３側縁に沿ってアーム枠の内側に立設した側壁プレート１６の後端の開口にその外側から挿通し、バックル３０Ｂを着座部１３の横に位置せしめてある。下端にバックル３０Ａを設けたベルト部材２の下半部はフロアに向けて延びている。
【００１２】
車室の車椅子用スペースのフロアには、該スペース内に乗り入れた車椅子１の左右のベルト部材２と対応する位置に、左右一対のリヤ固縛部材４が設けてある。リヤ固縛部材４は強靱なウェビングからなるベルト４０の基端にアンカープレート４１を設け、ベルト４０の先端にベルト部材２の下側のバックル３０Ａに対応するタングプレート３１Ａが設けてある。アンカープレート４１はベルト４０を挿通するスリットを備え、該スリットにベルト４０の基端末を挿通してベルト４０の基端末を袋状に縫合することで連結してあり、アンカープレート４１はボルト貫通穴を介してアンカーボルトによりフロアに締結してある。
【００１３】
タングプレート３１Ａは、これに設けたスリットにベルト４０の先端を挿通して折り返し、ベルト４０の折り返し重ね部をリング４２により袋状に絞り込むことで連結してあり、タングプレート３１Ａとアンカープレート４１間のベルト４０の長さを調整可能としている。
【００１４】
そして、各リヤ固縛部材４はそれぞれ、先端のタングプレート３１Ａを車椅子１の左右のベルト部材２の下端のバックル３０Ａに連結するとともに、ベルト４０の長さを調整し、ベルト部材２とリヤ固縛部材４とがほぼ一直線状に張った状態で車椅子１の後部を車室に固縛する。
【００１５】
また、車椅子用スペースのフロアには、車椅子１の左右のフレーム底部１１前端の外側位置にそれぞれフレーム底部１１前端を固縛する左右一対のフロント固縛部材６が設けてある。フロント固縛部材６はリヤ固縛部材４とほぼ同様な構造で、ベルト６０基端のアンカープレート６１をアンカーボルトによりフロアに締結し、先端にはフレーム底部１１前端へ係脱可能なフック金具６３を備え、フック金具６３とアンカプレート６１間のベルト６０の長さ調整が可能なものである。各フロント固縛部材６はそれぞれ、先端のフック金具６３を車椅子１の左右のフレーム底部１１と縦前枠フレームとの結合部に係合するとともに、ベルト６０の長さを調整してこれを張った状態にして車椅子１の前部を車室に固縛する。
【００１６】
このように車室に固縛した車椅子１は、その着座部１３上で、左右のベルト部材２上端のバックル３０Ｂ間をかけ渡すようにシートベルト５を連結する。シートベルト５はウェビングからなるベルト５０の両端にそれぞれ、左右のベルト部材２のバックル３０Ｂに対応するタングプレート３１Ｂを設けたものである。シートベルト５は、ベルト５０の一方の端末を一方のタングプレート３１Ｂのスリットを介して袋状に縫合し、ベルト５０の他方の端末を他方のタングプレート３１Ｂのスリットを介して折り返し、リング５１により袋状に絞り込んで、両端のタングプレート３１Ｂ間のベルト５０の長さを調整可能としている。
【００１７】
シートベルト５は、両端のタングプレート３１Ｂをそれぞれ、左右のベルト部材２の各上端バックル３０Ｂに連結し、ベルト５０が乗員の腰部にフィットするようにベルト５０の長さ調整を行い、乗員の腰部を車椅子１に拘束する。
【００１８】
本実施形態によれば、車椅子１のフレーム底部１１の後端に連結した左右一対のベルト部材２の一端に、車室フロアに固定した左右の固縛部材４を連結して車椅子１をフロアに固縛し、一端が固縛部材４の連結されたベルト部材２の他端をシートベルト５に連結して、車椅子１の乗員を車椅子１に拘束するようにしたので、ベルト部材２がシートベルト５のアンカー部も兼ね、車室フロア上の固定部品を減少できる。
【００１９】
また、シートベルト５は車椅子の座面上で装着でき操作性が良好で、装着後に固縛部材４の締め付け調整を行っても乗員拘束の緩みや締め付けが生じない。従って、シートベルト５は一度装着すれば再度締め付け調整を行なう必要なく乗員を確実に車椅子１へ拘束することができる。また、緊急時にシートベルト５に荷重がかかっても、従来構造のようにシートベルト５は車椅子１の主輪１８Ａのスポーク間を通していないので車椅子１に負担がかからない。尚、ベルト部材２はワイヤー部材や強靱なウェビングで構成してもよい。
【００２０】
図４および図５は本発明の他の実施形態を示し、本実施形態の基本構造は先の実施形態のそれとほぼ同一で、以下、相違点を中心に説明する。リヤ固縛部材４Ａは基端に自動巻取り装置７を設けたもので、自動巻取り装置７はケース７０内に、図略ではあるがリヤ固縛部材４Ａのウェビングからなるベルト４０を巻き取るボビンと、該ボビンをベルト４０巻き取り状態にロックし、ボビンをベルト４０引き出し可能なフリー状態に解放するラチェット機構とを内蔵し、上記ボビンの支軸をモーター７１のモーター軸に連結して、モーター７１の回転によりボビンを巻取り方向へ回転させるようにしてある。自動巻取り装置７はアンカーボルトにより車室フロアにボルト締めしてある。
【００２１】
リヤ固縛部材４Ａは、先端のタングプレート３１Ａを車椅子１のベルト部材２の下端のバックル３０Ａに連結し、モーター７１を駆動してリヤ固縛部材４Ａのベルト４０を巻取りその長さを調整して、ベルト部材２とリヤ固縛部材４Ａとがほぼ一直線状に張った状態でリヤ固縛部材４Ａをロックして車椅子１を車室に固縛する。尚、モーター７１は、リヤ固縛部材４Ａのベルト４０が張って上記ボビンがこれ以上回らなくなった時点で給電を遮断する回路構成とすることが望ましい。車椅子１の固縛を解除するには自動巻取り装置７の上記ラチェット機構を解放することでリヤ固縛部材４Ａがフリーになる。
【００２２】
フロント固縛部材６Ａもリヤ固縛部材４Ａと同様に基端に自動巻取り装置７を設け、自動巻取り装置７を介して車室フロアに固定してある。本実施形態によれば、先の実施形態と同様な作用効果が得られるとともに、車椅子１を車室に固縛する際の作業性を向上することができる。
【００２３】
図６は本発明の更に他の実施形態を示し、本実施形態は車椅子１の乗員の拘束に三点式シートベルト５Ａを用いたもので、基本構造は先の実施形態のそれとほぼ同一で相違点を中心に説明する。シートベルト５Ａはウェビングからなるベルト５０の基端にシートベルトリトラクタ装置５３を備え、リトラクタ装置５３が車室側壁の下端に固定してある。リトラクタ装置５３は、通常、ベルト５０の引き出しが可能で、かつ、弱い力でベルト５０を巻き込みつつ乗員の身体にフィットし、緊急時にロックする機能を有する一般的な巻取り装置である。
【００２４】
シートベルト５Ａのベルト５０は、車室側壁の上方に固定したショルダーアンカー５４を介して車内に引き出し、乗員の上胴部を拘束するショルダー部５０１と、乗員の腰部を拘束するラップ部５０２を一連に備え、ショルダー部５０１とラップ部５０２との境界、および、ラップ部５０２の先端にそれぞれ、車椅子１の左右のベルト部材２の上端のバックル３０Ｂに対応するタングプレート３１Ｂを備えている。ショルダー部５０１とラップ部５０２との境界のタングプレート３１Ｂはそのスリットにベルト５０を挿通してベルト５０に沿って移動自在に設けてある。ラップ部５０２の先端のタングプレート３１Ｂは、ベルト５０の一方の端末をタングプレート３１Ｂのスリットを介して袋状に縫合して連結してある。
【００２５】
シートベルト５Ａは、ラップ部５０２の両端のタングプレート３１Ｂをそれぞれ、固縛部材４，６で車室に固縛した車椅子１の左右のベルト部材２の各上端のバックル３０Ｂに連結することで、リトラクタ装置５３の巻取りによりショルダー部５０１が乗員の上胴部にフィットするとともに、ラップ部５０２が乗員の腰部にフィットして乗員を車椅子１に拘束する。本実施形態によれば、三点式シートベルトも好適に用いることができ、より確実に乗員を車椅子１に拘束することができる。
【００２６】
【発明の効果】
本発明によれば、車椅子のフレームに連結したベルト部材を介して固縛部材とシートベルトとを一連に連結したので、車室フロア上に固定する部品点数を減少でき、車室フロアの簡素化がはかれる。また、車椅子を車室へ作業性良好かつ確実に固縛することができ、シートベルトの装着性も良好で、車椅子の固縛を調整しても影響を受けることなく、確実に乗員を拘束することができる。
【図面の簡単な説明】
【図１】本発明の固縛装置により車椅子を固縛した斜視図である。
【図２】上記固縛装置により車椅子を固縛した側面図である。
【図３】上記固縛装置の要部を示す分解斜視図である。
【図４】本発明の他の固縛装置により車椅子を固縛した側面図である。
【図５】上記他の固縛装置の要部を示す斜視図である。
【図６】本発明の固縛装置に三点式のシートベルトを用いた斜視図である。
【図７】従来の固縛装置により車椅子を固縛した斜視図である。
【符号の説明】
１  車椅子
２  ベルト部材
３０Ａ，３０Ｂ  連結手段（バックル）
３１Ａ，３１Ｂ  連結手段（タングプレート）
４，４Ａ  固縛部材（リヤ固縛部材）
５，５Ａ  シートベルト
５０２  ラップ部
７  自動巻取り装置
【図１】
0003636074.tif 000002
【図２】
0003636074.tif 000003
【図３】
0003636074.tif 000004
【図４】
0003636074.tif 000005
【図５】
0003636074.tif 000006
【図６】
0003636074.tif 000007
【図７】
0003636074.tif 000008